(57)【要約】【課題】配置情報を別個管理することなく、所望の画像を所望のフレームに自動で配置させてＤＴＰにおける画像レイアウト作業の省力化を実現する組版装置、組版方法、及び組版処理プログラムを提供する。【解決手段】画像をレイアウト領域に配置して組版処理を行なう組版装置であって、配置の対象となる画像を示す画像データであって、当該画像が過去に配置されていたレイアウト領域である旧レイアウト領域の大きさ及び配置位置と、当該画像が前記旧レイアウト領域に配置されていた際の当該画像の大きさを示す配置情報が付加された前記画像データに付加された前記配置情報を抽出する配置情報抽出手段と、当該画像を新たに配置するレイアウト領域である新レイアウト領域の大きさと、抽出された配置情報に含まれる前記旧レイアウト領域の大きさに基づいて、前記画像を前記新レイアウト領域へ配置する際の当該画像の大きさと配置位置を示す情報を取得し、取得された画像の大きさと配置位置を示す情報に従って前記画像を前記新レイアウト領域へ配置する。【選択図】図４
2010097305.tif 000002
【特許請求の範囲】
【請求項１】
画像をレイアウト領域に配置して組版処理を行なう組版装置であって、
配置の対象となる画像を示す画像データであって、当該画像が過去に配置されていたレイアウト領域である旧レイアウト領域の大きさを示す旧レイアウトサイズ指標値及び配置位置と、当該画像が前記旧レイアウト領域に配置されていた際の当該画像の大きさを示す配置情報が付加された前記画像データを取得する画像データ取得手段と、
取得された画像データに付加された前記配置情報を抽出する配置情報抽出手段と、
当該画像を新たに配置するレイアウト領域である新レイアウト領域の大きさを示す新レイアウトサイズ指標値と、前記配置情報抽出手段により抽出された配置情報に含まれる前記旧レイアウトサイズ指標値に基づいて、前記画像を前記新レイアウト領域へ配置する際の当該画像の大きさと配置位置を示す情報を取得する情報取得手段と、
取得された画像の大きさと配置位置を示す情報に従って前記画像を前記新レイアウト領域へ配置する配置手段と、
を有することを特徴とする組版装置。
【請求項２】
請求項１に記載の組版装置であって、
前記情報取得手段は、前記配置情報抽出手段により抽出された配置情報に含まれる前記旧レイアウトサイズ指標値が、前記新レイアウトサイズ指標値の大きさと同一である場合には、前記旧レイアウト領域に配置されていた際の前記画像の大きさと配置位置を、前記画像を前記新レイアウト領域へ配置する際の当該画像の大きさと配置位置を示す情報として取得することを特徴とする組版装置。
【請求項３】
請求項１又は請求項２に記載の組版装置であって、
前記配置情報抽出手段により抽出された配置情報に含まれる前記旧レイアウトサイズ指標値が、前記新レイアウトサイズ指標値と異なる場合には、前記旧レイアウト領域の縦方向と横方向の比である縦横比と、前記新レイアウト領域の縦方向と横方向の比である縦横比が同一であるか否かを前記旧レイアウトサイズ指標値及び前記新レイアウトサイズ指標値に基づいて判定する判定手段と、
判定の結果、前記旧レイアウト領域の縦方向と横方向の比である縦横比と、前記新レイアウト領域の縦方向と横方向の比である縦横比が同一である場合には、前記旧レイアウト領域の大きさに対する前記新レイアウト領域の大きさの比である倍率を、前記旧レイアウトサイズ指標値及び前記新レイアウトサイズ指標値に基づいて取得する第１倍率取得手段を有し、
前記情報取得手段は、
前記第１倍率取得手段により取得された倍率と、前記旧レイアウト領域に配置されていた際の前記画像の大きさと配置位置に基づいて、前記画像を前記新レイアウト領域へ配置する際の当該画像の大きさと配置位置を算出して取得することを特徴とする組版装置。
【請求項４】
請求項３に記載の組版装置であって、
前記判定手段による判定の結果、前記旧レイアウト領域の縦方向と横方向の比である縦横比と、前記新レイアウト領域の縦方向と横方向の比である縦横比が異なる場合には、前記旧レイアウト領域の縦方向の大きさに対する前記新レイアウト領域の縦方向の大きさの比である縦方向倍率と、前記旧レイアウト領域の横方向の大きさに対する前記新レイアウト領域の横方向の大きさの比である横方向倍率と、を前記旧レイアウトサイズ指標値及び前記新レイアウトサイズ指標値に基づいて夫々取得する第２倍率取得手段を有し、
前記情報取得手段は、
前記第２倍率取得手段により取得された縦方向倍率と、前記旧レイアウト領域に配置されていた際の前記画像の大きさと配置位置に基づいて、前記画像を前記新レイアウト領域へ配置する際の当該画像の縦方向の大きさと、前記新レイアウト領域に対する縦方向の配置位置を算出して取得し、
前記第２倍率取得手段により取得された横方向倍率と、前記旧レイアウト領域に配置されていた際の前記画像の大きさと配置位置に基づいて、前記画像を前記新レイアウト領域へ配置する際の当該画像の横方向の大きさと、前記新レイアウト領域に対する横方向の配置位置を算出して取得することを特徴とする組版装置。
【請求項５】
請求項３に記載の組版装置であって、
前記判定手段による判定の結果、前記旧レイアウト領域の縦方向と横方向の比である縦横比と、前記新レイアウト領域の縦方向と横方向の比である縦横比が異なる場合には、前記旧レイアウト領域の縦方向の大きさに対する前記新レイアウト領域の縦方向の大きさの比である縦方向倍率と、前記旧レイアウト領域の横方向の大きさに対する前記新レイアウト領域の横方向の大きさの比である横方向倍率と、を前記旧レイアウトサイズ指標値及び前記新レイアウトサイズ指標値に基づいて夫々取得する第２倍率取得手段を有し、
前記情報取得手段は、
前記第２倍率取得手段により取得された縦方向倍率と、前記旧レイアウト領域に配置されていた際の前記画像の配置位置に基づいて、前記新レイアウト領域に対する縦方向の配置位置を算出して取得し、
前記第２倍率取得手段により取得された横方向倍率と、前記旧レイアウト領域に配置されていた際の前記画像の配置位置に基づいて、前記新レイアウト領域に対する横方向の配置位置を算出して取得し、
前記縦方向倍率と前記横方向倍率のうち、小さいほうの倍率と、前記旧レイアウト領域に配置されていた際の前記画像の大きさに基づいて、前記画像を前記新レイアウト領域へ配置する際の当該画像の大きさを算出して取得することを特徴とする組版装置。
【請求項６】
請求項１乃至５の何れか一項に記載の組版装置であって、
前記旧レイアウト領域に配置されていた際の画像の縦横比を維持して当該画像を前記新レイアウト領域へ配置するか否かについて、オペレータからの指示を受け付ける指示受付手段と、
受け付けた指示が、前記旧レイアウト領域に配置されていた際の画像の縦横比を維持して当該画像を前記新レイアウト領域へ配置する指示であるか否かを判定する指示判定手段を有し、
判定の結果、前記旧レイアウト領域に配置されていた際の画像の縦横比を維持して当該画像を前記新レイアウト領域へ配置する指示である場合には、
前記情報取得手段は、
前記第２倍率取得手段により取得された縦方向倍率と、前記旧レイアウト領域に配置されていた際の前記画像の配置位置に基づいて、前記新レイアウト領域に対する縦方向の配置位置を算出して取得し、
前記第２倍率取得手段により取得された横方向倍率と、前記旧レイアウト領域に配置されていた際の前記画像の配置位置に基づいて、前記新レイアウト領域に対する横方向の配置位置を算出して取得し、
前記縦方向倍率と前記横方向倍率のうち、小さいほうの倍率と、前記旧レイアウト領域に配置されていた際の前記画像の大きさに基づいて、前記画像を前記新レイアウト領域へ配置する際の当該画像の大きさを算出して取得することを特徴とする組版装置。
【請求項７】
請求項６に記載の組版装置であって、
前記指示判定手段による判定の結果、前記旧レイアウト領域に配置されていた際の画像の縦横比を維持して当該画像を前記新レイアウト領域へ配置する指示でない場合には、
前記情報取得手段は、
前記第２倍率取得手段により取得された縦方向倍率と、前記旧レイアウト領域に配置されていた際の前記画像の大きさと配置位置に基づいて、前記画像を前記新レイアウト領域へ配置する際の当該画像の縦方向の大きさと、前記新レイアウト領域に対する縦方向の配置位置を算出して取得し、
前記第２倍率取得手段により取得された横方向倍率と、前記旧レイアウト領域に配置されていた際の前記画像の大きさと配置位置に基づいて、前記画像を前記新レイアウト領域へ配置する際の当該画像の横方向の大きさと、前記新レイアウト領域に対する横方向の配置位置を算出して取得することを特徴とする組版装置。
【請求項８】
請求項１乃至請求項７のいずれか一項に記載の組版装置であって、
前記画像データ取得手段は、複数の前記画像データが記憶された画像データベースから前記画像データを取得し、かつ、
前記画像データに付加された前記配置情報を、前記新レイアウトサイズ指標値と、前記情報取得手段により取得された前記画像を前記新レイアウト領域へ配置する際の当該画像の大きさと配置位置を示す情報に基づいて更新する更新手段と、
更新後の前記画像データを前記画像データベースに記憶させる記憶手段を有することを特徴とする組版装置。
【請求項９】
請求項１乃至請求項５のいずれか一項に記載の組版装置であって、
前記旧レイアウトサイズ指標値は、前記旧レイアウト領域の大きさ、又は、前記旧レイアウト領域を囲む領域である旧補助レイアウト領域の大きさであって、
前記新レイアウトサイズ指標値は、前記新レイアウト領域の大きさ、又は、前記新レイアウト領域を囲む領域である新補助レイアウト領域の大きさであることを特徴とする組版装置。
【請求項１０】
画像の一部を表示対象としてマスクにより切り取る組版処理を行なう組版装置であって、
組版処理の対象となる画像を示す画像データであって、当該画像のうち、過去の組版処理におけるマスク領域である旧マスク領域の大きさを示す指標となる旧マスク領域サイズ指標値及びマスク位置と、当該画像が当該過去の組版処理において使用された際の当該画像の大きさを示すマスク情報が付加された前記画像データを取得する画像データ取得手段と、
取得された画像データに付加された前記マスク情報を抽出するマスク情報抽出手段と、
当該画像の一部を表示対象として新たに切り取り指定するためのマスク領域である新マスク領域の大きさを示す指標となる新マスク領域サイズ指標値と、前記マスク情報抽出手段により抽出されたマスク情報に含まれる旧マスク領域サイズ指標値に基づいて、前記画像を前記新マスク領域により切り取る際の当該画像の大きさとマスク位置を示す情報を取得する情報取得手段と、
取得された画像の大きさとマスク位置を示す情報に従って前記画像を前記新マスク領域に基づいて切り取る切り取り手段と、
を有することを特徴とする組版装置。
【請求項１１】
請求項１０に記載の組版装置であって、
前記旧マスク領域サイズ指標値は、前記旧マスク領域の大きさ、又は、前記旧マスク領域を囲む領域である旧補助領域の大きさであって、
前記新マスク領域サイズ指標値は、前記新マスク領域の大きさ、又は、前記新マスク領域を囲む領域である新補助領域の大きさであることを特徴とする組版装置。
【請求項１２】
画像をレイアウト領域に配置する組版方法において、
配置の対象となる画像を示す画像データであって、当該画像が過去に配置されていたレイアウト領域である旧レイアウト領域の大きさを示す旧レイアウトサイズ指標値及び配置位置と、当該画像が前記旧レイアウト領域に配置されていた際の当該画像の大きさを示す配置情報が付加された前記画像データを取得する工程と、
取得された画像データに付加された前記配置情報を抽出する工程と、
当該画像を新たに配置するレイアウト領域である新レイアウト領域の大きさを示す新レイアウトサイズ指標値と、抽出された配置情報に含まれる前記旧レイアウトサイズ指標値に基づいて、前記画像を前記新レイアウト領域へ配置する際の当該画像の大きさと配置位置を示す情報を取得する工程と、
取得された画像の大きさと配置位置を示す情報に従って前記画像を前記新レイアウト領域へ配置する工程と、
を有することを特徴とする組版方法。
【請求項１３】
画像の一部を表示対象としてマスクにより切り取る組版方法において、
組版処理の対象となる画像を示す画像データであって、当該画像のうち、過去の組版処理におけるマスク領域である旧マスク領域の大きさを示す指標となる旧マスク領域サイズ指標値及びマスク位置と、当該画像が当該過去の組版処理において使用された際の当該画像の大きさを示すマスク情報が付加された前記画像データを取得する工程と、
取得された画像データに付加された前記マスク情報を抽出する工程と、
当該画像の一部を表示対象として新たに切り取り指定するためのマスク領域である新マスク領域の大きさを示す指標となる新マスク領域サイズ指標値と、抽出されたマスク情報に含まれる旧マスク領域サイズ指標値に基づいて、前記画像を前記新マスク領域により切り取る際の当該画像の大きさとマスク位置を示す情報を取得する工程と、
取得された画像の大きさとマスク位置を示す情報に従って前記画像を前記新マスク領域に基づいて切り取る工程と、
を有することを特徴とする組版方法。
【請求項１４】
コンピュータを、請求項１乃至請求項１１のいずれか一項に記載の組版装置として機能させることを特徴とする組版処理プログラム。
【発明の詳細な説明】
【技術分野】
【０００１】
本発明は、データベース上のデータに基づき、ＤＴＰ（Desk Top Publishing）データの作成及び編集を行うシステム等の技術分野に関する。
【背景技術】
【０００２】
自動組版においてＤＴＰデータ上に画像を自動でレイアウトする際、画像サイズを調整したり、レイアウト領域（フレーム）内のどの位置に画像をレイアウトするか調整することが多い。
【０００３】
このような画像サイズや配置位置の調整は、以前使用した画像を新たにレイアウト領域（フレーム）に配置して再利用する場合であっても、自動組版等でフレームに画像を配置した後に、オペレータが画像サイズの拡大・縮小を指定したり、その変倍率や傾斜等を指定して調整しなければならず、作業効率の低下や作業ミスを発生させる原因となっていた。
【０００４】
特許文献１には、自動組版機能を用いて、フレームに配置した画像の割付情報を割付結果として割付情報記憶手段に記憶させておき、画像を再利用する場合には、過去の割付結果をコピーしてフィードバックし、同一の割付作業をする際に利用する技術が開示されている。
【０００５】
しかしながら、このような手法は、画像が配置されるフレームの大きさを考慮していないため、過去のフレームサイズと今回配置しようとするフレームのフレームサイズが異なる場合には、過去の割付結果をフィードバックすることにより画像を配置したとしても最終的には今回配置しようとするフレームに合致するようオペレータが手作業で画像サイズ等を調整をしなければならないという問題がある。
【０００６】
さらにこの手法では、複数の情報（テキストデータや画像情報や割付結果）がそれぞれ紐付けられて登録・管理されていることから、画像データ単独で利用する場合には、このような紐付けがされていないため、複数の情報から割付結果等をその都度探さなければならないという問題がある。
【０００７】
一方で、本願出願人による特許出願によって、ページレイアウトシステムにおいて、画像データそのものにアタリ情報を保存しておき、再び画像を画像ボックスに配置する際には、かかるアタリ情報に基づいて自動トリミングする手法も提案されている（特許文献２参照）。
【特許文献１】特願平１０−２６９３７４号公報
【特許文献２】特願２０００−２９８７５号公報
【発明の開示】
【発明が解決しようとする課題】
【０００８】
しかしながら、アタリ情報は画像の画像ボックス内の位置を示す情報（位置、変倍、配置角度等）であるため、同一の大きさの画像ボックスに画像を再利用する際には有効な手法であるが、画像ボックスのサイズが異なる場合には、アタリ情報に基づいて画像ボックスに画像を配置した後に、トリミングするなどして画像ボックスのサイズを変更させる必要が生じることもあり、所望の画像を所望の大きさの画像ボックスに配置させたい場合には、やはりオペレータが手作業で画像サイズ等を調整をしなければならないという問題がある。
【０００９】
そこで、本発明は、上記問題等に鑑みて為されたもので、画像が過去に配置されていた際の配置情報を別個管理することなく、所望の画像を所望のフレームに自動で配置させてＤＴＰにおける画像レイアウト作業の省力化を実現する組版装置、組版方法、及び組版処理プログラムを提供することを課題とする。
【００１０】
また、マスク処理を含むＤＴＰにおいても、所望のマスクを用いて自動で切り取り処理を行なうことを実現する組版装置等を提供することを課題とする。
【課題を解決するための手段】
【００１１】
上記課題を解決するために、請求項１に記載の発明は、画像をレイアウト領域に配置して組版処理を行なう組版装置であって、配置の対象となる画像を示す画像データであって、当該画像が過去に配置されていたレイアウト領域である旧レイアウト領域の大きさを示す旧レイアウトサイズ指標値（フレームの縦横サイズ、又は補助フレームの縦横サイズ）及び配置位置（オフセット、傾斜角度等）と、当該画像が前記旧レイアウト領域に配置されていた際の当該画像の大きさを示す配置情報が付加された前記画像データを取得する画像データ取得手段と、取得された画像データに付加された前記配置情報を抽出する配置情報抽出手段と、当該画像を新たに配置するレイアウト領域である新レイアウト領域の大きさを示す新レイアウトサイズ指標値と、前記配置情報抽出手段により抽出された配置情報に含まれる前記旧レイアウトサイズ指標値に基づいて、前記画像を前記新レイアウト領域へ配置する際の当該画像の大きさと配置位置を示す情報を取得する情報取得手段と、取得された画像の大きさと配置位置を示す情報に従って前記画像を前記新レイアウト領域へ配置する配置手段と、を有することを特徴とする組版装置である。
【００１２】
これによれば、画像データに当該画像が過去に配置されていた旧レイアウト領域（フレーム）の大きさを示す旧レイアウトサイズ指標値と配置位置、及び配置されていた際の当該画像の大きさを配置情報として付加し、画像を新たなレイアウト領域に配置させる際には当該画像データから配置情報を抽出し、抽出された配置情報に含まれる旧レイアウトサイズ指標値と新たに配置される新レイアウト領域の大きさを示す新レイアウトサイズ指標値に基づいて、配置位置等を示す情報を取得するよう構成したので、所望の画像を所望のレイアウト領域に自動で配置させることができる。さらには、画像データそのものに配置情報を埋め込んだ（付加した）ので、画像データ単独で種々のＤＴＰ作業に利用することができ、より利便性の高い組版装置を実現することができる。
【００１３】
上記課題を解決するために、請求項２に記載の発明は、請求項１に記載の組版装置であって、前記情報取得手段は、前記配置情報抽出手段により抽出された配置情報に含まれる前記旧レイアウトサイズ指標値が、前記新レイアウトサイズ指標値と同一である場合には、前記旧レイアウト領域に配置されていた際の前記画像の大きさと配置位置を、前記画像を前記新レイアウト領域へ配置する際の当該画像の大きさと配置位置を示す情報として取得することを特徴とする組版装置である。
【００１４】
これによれば、画像データから抽出された配置情報に含まれる旧レイアウトサイズ指標値が新レイアウトサイズ指標値同一であれば、抽出された配置情報をそのまま新レイアウト領域への配置位置等を示す情報として利用して、画像を新レイアウト領域に適切に配置させることができる。
【００１５】
上記課題を解決するために、請求項３に記載の発明は、請求項１又は請求項２に記載の組版装置であって、前記配置情報抽出手段により抽出された配置情報に含まれる前記旧レイアウトサイズ指標値が、前記新レイアウトサイズ指標値と異なる場合には、前記旧レイアウト領域の縦方向と横方向の比である縦横比と、前記新レイアウト領域の縦方向と横方向の比である縦横比が同一であるか否かを、前記旧レイアウトサイズ指標値及び前記新レイアウトサイズ指標値に基づいて判定する判定手段と、判定の結果、前記旧レイアウト領域の縦方向と横方向の比である縦横比と、前記新レイアウト領域の縦方向と横方向の比である縦横比が同一である場合には、前記旧レイアウト領域の大きさに対する前記新レイアウト領域の大きさの比である倍率を、前記旧レイアウトサイズ指標値及び前記新レイアウトサイズ指標値に基づいて取得する第１倍率取得手段を有し、前記情報取得手段は、前記第１倍率取得手段により取得された倍率と、前記旧レイアウト領域に配置されていた際の前記画像の大きさと配置位置に基づいて、前記画像を前記新レイアウト領域へ配置する際の当該画像の大きさと配置位置を算出して取得することを特徴とする組版装置である。
【００１６】
これによれば、画像データから抽出された配置情報に基づいて、旧レイアウト領域の縦横比と、新レイアウト領域の縦横比が同一であるか否か判定し、各縦横比が同一であれば、各レイアウト領域の倍率と上記配置情報基づいて画像を新レイアウト領域に適切に配置させることができる。
【００１７】
上記課題を解決するために、請求項４に記載の発明は、請求項３に記載の組版装置であって、前記判定手段による判定の結果、前記旧レイアウト領域の縦方向と横方向の比である縦横比と、前記新レイアウト領域の縦方向と横方向の比である縦横比が異なる場合には、前記旧レイアウト領域の縦方向の大きさに対する前記新レイアウト領域の縦方向の大きさの比である縦方向倍率と、前記旧レイアウト領域の横方向の大きさに対する前記新レイアウト領域の横方向の大きさの比である横方向倍率と、を前記旧レイアウトサイズ指標値及び前記新レイアウトサイズ指標値に基づいて夫々取得する第２倍率取得手段を有し、前記情報取得手段は、前記第２倍率取得手段により取得された縦方向倍率と、前記旧レイアウト領域に配置されていた際の前記画像の大きさと配置位置に基づいて、前記画像を前記新レイアウト領域へ配置する際の当該画像の縦方向の大きさと、前記新レイアウト領域に対する縦方向の配置位置を算出して取得し、前記第２倍率取得手段により取得された横方向倍率と、前記旧レイアウト領域に配置されていた際の前記画像の大きさと配置位置に基づいて、前記画像を前記新レイアウト領域へ配置する際の当該画像の横方向の大きさと、前記新レイアウト領域に対する横方向の配置位置を算出して取得することを特徴とする組版装置である。
【００１８】
これによれば、旧レイアウト領域の縦横比と新レイアウト領域の縦横比が異なる場合であっても、各レイアウト領域の縦方向倍率と横方向倍率、及び上記配置情報基づいて画像を新レイアウト領域に適切に配置させることができる。
【００１９】
上記課題を解決するために、請求項５に記載の発明は、請求項３に記載の組版装置であって、前記判定手段による判定の結果、前記旧レイアウト領域の縦方向と横方向の比である縦横比と、前記新レイアウト領域の縦方向と横方向の比である縦横比が異なる場合には、前記旧レイアウト領域の縦方向の大きさに対する前記新レイアウト領域の縦方向の大きさの比である縦方向倍率と、前記旧レイアウト領域の横方向の大きさに対する前記新レイアウト領域の横方向の大きさの比である横方向倍率と、を前記旧レイアウトサイズ指標値及び前記新レイアウトサイズ指標値に基づいて夫々取得する第２倍率取得手段を有し、前記情報取得手段は、前記第２倍率取得手段により取得された縦方向倍率と、前記旧レイアウト領域に配置されていた際の前記画像の配置位置に基づいて、前記新レイアウト領域に対する縦方向の配置位置を算出して取得し、前記第２倍率取得手段により取得された横方向倍率と、前記旧レイアウト領域に配置されていた際の前記画像の配置位置に基づいて、前記新レイアウト領域に対する横方向の配置位置を算出して取得し、前記縦方向倍率と前記横方向倍率のうち、小さいほうの倍率と、前記旧レイアウト領域に配置されていた際の前記画像の大きさに基づいて、前記画像を前記新レイアウト領域へ配置する際の当該画像の大きさを算出して取得することを特徴とする組版装置である。
【００２０】
これによれば、旧レイアウト領域の縦横比と新レイアウト領域の縦横比が異なる場合であっても、画像の縦横比を維持しつつ、各レイアウト領域の縦方向倍率と横方向倍率、及び上記配置情報基づいて、画像を新レイアウト領域に適切に配置させることができる。
【００２１】
上記課題を解決するために、請求項６に記載の発明は、請求項４又は請求項５に記載の組版装置であって、前記旧レイアウト領域に配置されていた際の画像の縦横比を維持して当該画像を前記新レイアウト領域へ配置するか否かについて、オペレータからの指示を受け付ける指示受付手段と、受け付けた指示が、前記旧レイアウト領域に配置されていた際の画像の縦横比を維持して当該画像を前記新レイアウト領域へ配置する指示であるか否かを判定する指示判定手段を有し、判定の結果、前記旧レイアウト領域に配置されていた際の画像の縦横比を維持して当該画像を前記新レイアウト領域へ配置する指示である場合には、前記情報取得手段は、前記第２倍率取得手段により取得された縦方向倍率と、前記旧レイアウト領域に配置されていた際の前記画像の配置位置に基づいて、前記新レイアウト領域に対する縦方向の配置位置を算出して取得し、前記第２倍率取得手段により取得された横方向倍率と、前記旧レイアウト領域に配置されていた際の前記画像の配置位置に基づいて、前記新レイアウト領域に対する横方向の配置位置を算出して取得し、前記縦方向倍率と前記横方向倍率のうち、小さいほうの倍率と、前記旧レイアウト領域に配置されていた際の前記画像の大きさに基づいて、前記画像を前記新レイアウト領域へ配置する際の当該画像の大きさを算出して取得することを特徴とする組版装置である。
【００２２】
これによれば、旧レイアウト領域の縦横比と新レイアウト領域の縦横比が異なる場合に、画像の縦横比を維持して配置させることをオペレータが指示することができる。
【００２３】
上記課題を解決するために、請求項７に記載の発明は、請求項６に記載の組版装置であって、前記指示判定手段による判定の結果、前記旧レイアウト領域に配置されていた際の画像の縦横比を維持して当該画像を前記新レイアウト領域へ配置する指示で無い場合には、前記情報取得手段は、前記第２倍率取得手段により取得された縦方向倍率と、前記旧レイアウト領域に配置されていた際の前記画像の大きさと配置位置に基づいて、前記画像を前記新レイアウト領域へ配置する際の当該画像の縦方向の大きさと、前記新レイアウト領域に対する縦方向の配置位置を算出して取得し、前記第２倍率取得手段により取得された横方向倍率と、前記旧レイアウト領域に配置されていた際の前記画像の大きさと配置位置に基づいて、前記画像を前記新レイアウト領域へ配置する際の当該画像の横方向の大きさと、前記新レイアウト領域に対する横方向の配置位置を算出して取得することを特徴とする組版装置である。
【００２４】
これによれば、旧レイアウト領域の縦横比と新レイアウト領域の縦横比が異なる場合に、旧レイアウト領域と新レイアウト領域の縦方向倍率と横方向倍率、及び上記配置情報基づいて画像の大きさを適宜変更して新レイアウト領域に適切に配置させることをオペレータが指示することができる。
【００２５】
上記課題を解決するために、請求項８に記載の発明は、請求項１乃至請求項７のいずれか一項に記載の組版装置であって、前記画像データ取得手段は、複数の前記画像データが記憶された画像データベースから前記画像データを取得し、かつ、前記画像データに付加された前記配置情報を、前記新レイアウト領域の大きさと、前記情報取得手段により取得された前記画像を前記新レイアウト領域へ配置する際の当該画像の大きさと配置位置を示す情報に基づいて更新する更新手段と、更新後の前記画像データを前記画像データベースに記憶させる記憶手段を有することを特徴とする組版装置である。
【００２６】
これによれば、画像データベースに配置情報を付加した画像データを記憶させることができる。
【００２７】
上記課題を解決するために、請求項９に記載の発明は、請求項１乃至請求項５のいずれか一項に記載の組版装置であって、  前記旧レイアウトサイズ指標値は、前記旧レイアウト領域の大きさ、又は、前記旧レイアウト領域を囲む領域である旧補助レイアウト領域の大きさであって、前記新レイアウトサイズ指標値は、前記新レイアウト領域の大きさ、又は、前記新レイアウト領域を囲む領域である新補助レイアウト領域の大きさであることを特徴とする組版装置である。
【００２８】
これによれば、レイアウト領域がどのような形状であっても、レイアウト領域の大きさを示す指標となる補助レイアウト領域を囲む補助レイアウト領域を定義することにより、レイアウト領域の大きさを特定することができる。
【００２９】
上記課題を解決するために、請求項１０に記載の発明は、画像の一部を表示対象としてマスクにより切り取る組版処理を行なう組版装置であって、組版処理の対象となる画像を示す画像データであって、当該画像のうち、過去の組版処理におけるマスク領域である旧マスク領域の大きさを示す指標となる旧マスク領域サイズ指標値（マスク領域の縦横サイズ又は補助領域の縦横サイズ）及びマスク位置（オフセット、傾斜角度等）と、当該画像が当該過去の組版処理において使用された際の当該画像の大きさを示すマスク情報が付加された前記画像データを取得する画像データ取得手段と、取得された画像データに付加された前記マスク情報を抽出するマスク情報抽出手段と、当該画像の一部を表示対象として新たに切り取り指定するためのマスク領域である新マスク領域の大きさを示す指標となる新マスク領域サイズ指標値と、前記マスク情報抽出手段により抽出されたマスク情報に含まれる旧マスク領域サイズ指標値に基づいて、前記画像を前記新マスク領域により切り取る際の当該画像の大きさとマスク位置を示す情報を取得する情報取得手段と、取得された画像の大きさとマスク位置を示す情報に従って前記画像を前記新マスク領域に基づいて切り取る切り取り手段と、を有することを特徴とする組版装置である。
【００３０】
これによれば、画像データにマスク情報を付加しておき、新たなマスクにて画像を切り取り処理する場合に、画像データから抽出したマスク情報に含まれる旧マスク領域サイズ指標値と、新マスク領域サイズ指標値に基づいて、画像の大きさやマスク位置を示す情報を取得するよう構成したので、所望の画像の表示したい部分を、所望のマスクを用いて自動で切り取り処理することができる。さらには、画像データにマスク情報を埋め込んだ（付加した）ので、画像データ単独で種々のＤＴＰ作業に利用することができ、より利便性の高い組版方法を実現することができる。
【００３１】
上記課題を解決するために、請求項１１に記載の発明は、請求項１０に記載の組版装置であって、前記旧マスク領域サイズ指標値は、前記旧マスク領域の大きさ、又は、前記旧マスク領域を囲む領域である旧補助領域の大きさであって、前記新マスク領域サイズ指標値は、前記新マスク領域の大きさ、又は、前記新マスク領域を囲む領域である新補助領域の大きさであることを特徴とする組版装置である。
【００３２】
上記課題を解決するために、請求項１２に記載の発明は、画像をレイアウト領域に配置する組版方法において、配置の対象となる画像を示す画像データであって、当該画像が過去に配置されていたレイアウト領域である旧レイアウト領域の大きさを示す旧レイアウトサイズ指標値及び配置位置と、当該画像が前記旧レイアウト領域に配置されていた際の当該画像の大きさを示す配置情報が付加された前記画像データを取得する工程と、取得された画像データに付加された前記配置情報を抽出する工程と、当該画像を新たに配置するレイアウト領域である新レイアウト領域の大きさを示す新レイアウトサイズ指標値と、抽出された配置情報に含まれる前記旧レイアウトサイズ指標値に基づいて、前記画像を前記新レイアウト領域へ配置する際の当該画像の大きさと配置位置を示す情報を取得する工程と、取得された画像の大きさと配置位置を示す情報に従って前記画像を前記新レイアウト領域へ配置する工程と、を有することを特徴とする組版方法である。
【００３３】
上記課題を解決するために、請求項１３に記載の発明は、画像の一部を表示対象としてマスクにより切り取る組版方法において、組版処理の対象となる画像を示す画像データであって、当該画像のうち、過去の組版処理におけるマスク領域である旧マスク領域の大きさを示す指標となる旧マスク領域サイズ指標値及びマスク位置と、当該画像が当該過去の組版処理において使用された際の当該画像の大きさを示すマスク情報が付加された前記画像データを取得する工程と、取得された画像データに付加された前記マスク情報を抽出する工程と、当該画像の一部を表示対象として新たに切り取り指定するためのマスク領域である新マスク領域の大きさを示す指標となる新マスク領域サイズ指標値と、抽出されたマスク情報に含まれる旧マスク領域サイズ指標値に基づいて、前記画像を前記新マスク領域により切り取る際の当該画像の大きさとマスク位置を示す情報を取得する工程と、取得された画像の大きさとマスク位置を示す情報に従って前記画像を前記新マスク領域に基づいて切り取る工程と、を有することを特徴とする組版方法である。
【００３４】
上記課題を解決するために、請求項１４に記載の発明は、コンピュータを、請求項１乃至請求項１１のいずれか一項に記載の組版装置として機能させることを特徴とする組版処理プログラムである。
【発明の効果】
【００３５】
本発明によれば、画像データに当該画像が過去に配置されていた旧レイアウト領域の大きさと配置位置、及び配置されていた際の当該画像の大きさ等を配置情報として付加し、組版を行なう際には当該画像データから配置情報を抽出し、抽出された配置情報に含まれる旧レイアウト領域の大きさと新たに配置される新レイアウト領域の大きさに基づいて、配置位置等を示す情報を取得するよう構成したので、所望の画像を所望のレイアウト領域に自動で配置させることができる。さらには、画像データそのものに配置情報を付加したので、画像データ単独で種々のＤＴＰ作業に利用することができ、より利便性の高い組版装置を実現することができる。
【００３６】
また、画像データに旧マスク領域サイズ指標値、マスク位置及び画像の大きさ等をマスク情報を付加しておけば、新たなマスクにて画像を切り取り処理する場合に、画像データから抽出したマスク情報に含まれる旧マスク領域サイズ指標値と、新マスク領域サイズ指標値に基づいて、画像の大きさやマスク位置を示す情報を取得するよう構成したので、所望の画像の表示したい部分を、所望のマスクを用いて自動で切り取り処理することができる。さらには、画像データにマスク情報を埋め込んだ（付加した）ので、画像データ単独で種々のＤＴＰ作業に利用することができ、より利便性の高い組版方法を実現することができる。
【発明を実施するための最良の形態】
【００３７】
以下、本発明を実施するための最良の実施形態について、図面に基づいて説明する。なお、以下に説明する実施の形態は、ＤＴＰ編集システムに対して本発明を適用した場合の実施形態である。
【００３８】
先ず、本実施形態に係るＤＴＰ編集システムの構成及び機能について、図１及び図２を参照して説明する。
【００３９】
図１は、本実施形態に係るＤＴＰ編集システムの概要構成の一例を示す図であり、図２は、組版端末の概要構成の一例を示す図である。
【００４０】
図１に示すように、ＤＴＰ編集システムＳは、データベースサーバ１と、組版装置の一例としての組版端末２とを備えて構成されており、データベースサーバ１と組版端末２とはＬＡＮ（Local Area Network）等のネットワーク３を介して接続されている。
【００４１】
データベースサーバ１は、例えばサーバコンピュータからなり、記憶部（例えばハードディスクドライブ等からなる）には、カタログ、チラシ、又は雑誌等のＤＴＰデータの基になる商品（カタログ等の紙面上に掲載される商品）に関する情報を登録するためのデータベースが構築されている。当該データベースとしては、テキストデータベース１１、画像データベース１２、及び組み込み体裁データベース１３がある。
【００４２】
テキストデータベース１１には、商品毎に固有に付与された商品番号に対応付けられて、各商品の商品名、商品の価格、及び画像ファイル名等の情報が登録されている。
【００４３】
画像データベース１２には、商品番号に対応付けられて各商品の画像データ（組版処理をするのに必要な画像のデータ）が登録されている。当該画像データの所定のデータ領域には、配置情報が埋め込まれ（付加されて）いる。かかる配置情報には、前回の組版処理において当該画像データが配置された際のレイアウト領域の大きさ（フレームサイズ）、配置位置及び当該画像の大きさ（画像サイズ）が含まれている。なお、画像に関するその他の情報（例えば、角度、傾斜等）を含んで構成してもよい。
【００４４】
組み込み体裁データベース１３には、例えばカタログ等の紙面に掲載すべき各商品のテキスト及び画像の組み込み体裁（言い換えれば、レイアウト）を示すデータ（画像を配置するためのレイアウト領域の大きさ（フレームサイズ）及び各フレーム位置を規定するレイアウトデータが含まれる）（例えばＸＭＬ（eXtensible Markup Language）及びＸＳＬＴ（eXtensible Stylesheet Language Transformation）形式で記述）が登録されている。
【００４５】
そして、データベースサーバ１は、組版端末２からの要求に応じてテキストデータベース１１、画像データベース１２、及び組み込み体裁データベース１３に登録されたデータを取得し、ネットワーク３を介して組版端末２に送信するようになっている。
【００４６】
組版端末２は、図２に示すように、ＣＰＵ，ＲＡＭ，データ及びプログラムを記憶するＲＯＭ等を備える処理部２１、ハードディスクドライブ等を備える記憶部２２、液晶ディスプレイ等を備える表示部２３、マウス及びキーボードを備える操作部２４、及びネットワーク３を介してデータベースサーバ１と通信を行うための通信部２５を備えて構成されている。
【００４７】
そして、処理部２１は、ＣＰＵが例えば記憶部２２に記憶されているＤＴＰ編集アプリケーションプログラム（本発明の組版処理プログラムを含む）を読み出し実行することにより、本発明の画像データ取得手段、配置情報抽出手段、情報取得手段、配置手段、判定手段、第１倍率取得手段、第２倍率取得手段、指示受付手段、指示判定手段、更新手段及び記憶手段等として機能し、後述する処理を行うようになっている。
【００４８】
具体的には、処理部２１は、オペレータからの指示（操作部２４の操作による）に従って、ＤＴＰデータの基になる商品に関する情報をデータベースサーバ１及びネットワーク３を介して、テキストデータベース１１、画像データベース１２、及び組み込み体裁データベース１３から取得し、取得した商品に関する情報（テキストデータ、画像データ、及び組み込み体裁（レイアウト）を示すデータ）をＲＡＭにおいて予め設定されたＤＴＰデータの表示領域に格納する。
【００４９】
そして、処理部２１は、上記取得したテキストデータと、画像データと、組み込み体裁を示すデータとに基づいて、組版処理を行い、組版処理により得られたＤＴＰデータを表示部２３におけるディスプレイ（表示画面）上に表示させる。
【００５０】
具体的には、処理部２１は、組み込み体裁データベース１３から組版処理に使用するレイアウト領域（以下、「フレーム」と言う）のデータを取得し、画像データベース１２から組版処理に使用する画像データを取得する。このとき、取得した画像データに埋め込まれた配置情報を抽出し、かかる配置情報に含まれる当該画像データが前回配置されていたフレームの大きさであるフレームサイズ（旧レイアウトサイズ指標値の一例）と、組み込み体裁データベース１３から取得したフレームのフレームサイズとを比較することにより、画像をフレームに配置する際の画像サイズと配置位置を決定する。
【００５１】
図３乃至図６に画像レイアウトの説明図を示す。
【００５２】
図３は、画像データベース１２から取得した画像データにかかる画像が前回配置されていた際のフレーム（以下、「前回フレーム」と言う）と、今回配置されるフレーム（組み込み体裁データベース１３から取得したフレームであり、以下、「今回フレーム」と言う）のフレームサイズが同一である場合の画像レイアウトの一例である。
【００５３】
図３（Ａ）は前回フレームにおける画像レイアウトの説明図であり、配置情報として、基準点に対するフレームサイズ（横方向をＳ［ｍｍ］、縦方向をＴ［ｍｍ］）、画像の配置位置としてフレームに対する画像のオフセット値（横方向オフセット値をｘ、縦方向オフセット値をｙ）、画像サイズ（対角線の長さをｚ［ｍｍ］）が画像データに付加されている（表１参照）。
【００５４】
【表１】
2010097305.tif 000003
【００５５】
そして、図３（Ｂ）は今回フレームにおける画像レイアウトの説明図である。
【００５６】
今回フレームのフレームサイズ（横方向をＳ´［ｍｍ］、縦方向をＴ´［ｍｍ］）（新レイアウトサイズ指標値の一例）は、前回フレームと同一である。従って、画像オフセット値（横方向オフセット値をｘ´、縦方向オフセット値をｙ´）及び画像サイズ（対角線の長さをｚ´［ｍｍ］）を前回と同様とし、画像データから抽出した配置情報を以下の表２に示す如くそのまま利用することができる。
【００５７】
【表２】
2010097305.tif 000004
【００５８】
＜調整方法１＞
図４は、前回フレームと今回フレームのフレームサイズが異なる場合の画像レイアウトの一例である。
【００５９】
図４（Ａ）は前回フレームにおける画像レイアウトの説明図であり、配置情報として、基準点に対するフレームサイズ、画像の配置位置としてフレームに対する画像のオフセット値、画像サイズが画像データに付加されている（表１参照）。
【００６０】
そして、図４（Ｂ）は今回フレームにおける画像レイアウトの説明図である。
【００６１】
同図に示す例では、今回フレームのフレームサイズ（横方向をＳ´［ｍｍ］、縦方向をＴ´［ｍｍ］）は、前回フレームのフレームサイズと異なり、今回フレームのフレームサイズの縦横比は、前回フレームのフレームサイズの縦横比と同一である（Ｓ´：Ｔ´＝Ｓ：Ｔ）。
【００６２】
このような場合には、前回フレームのフレームサイズに対する今回フレームのフレームサイズの比（倍率）を取得し（第１倍率取得手段）、かかる倍率と、画像データから抽出した配置情報に含まれる画像オフセット値（ｘ、ｙ）及び画像サイズ（ｚ）に基づいて、今回フレームへ画像を配置する際の画像オフセット値及び画像サイズを決定する。
【００６３】
同図に示す例の場合、前回フレームのフレームサイズに対する今回フレームのフレームサイズの比（倍率）「ａ倍」が取得され、画像データから抽出した配置情報に含まれる画像オフセット値（横方向オフセット値をｘ、縦方向オフセット値をｙ）及び画像サイズ（対角線の長さをｚ［ｍｍ］）をａ倍した値を、今回フレームに配置する際の画像オフセット値（横方向オフセット値をｘ´、縦方向オフセット値をｙ´）及び画像サイズ（対角線の長さをｚ´［ｍｍ］）として算出（取得）することができる（表３参照）。
【００６４】
【表３】
2010097305.tif 000005
【００６５】
＜調整方法２＞
続いて、図５は、前回フレームと今回フレームのフレームサイズが異なる場合の画像レイアウトの他の例である。図４は、縦横比が等しく変倍（Ｓ´：Ｔ´＝Ｓ：Ｔ）された場合の例であったが、図５は縦横比が異なって変倍（Ｓ´：Ｔ´≠Ｓ：Ｔ）された場合の例である。
【００６６】
図５（Ａ）は前回フレームにおける画像レイアウトの説明図であり、配置情報として、基準点に対するフレームサイズ、画像の配置位置としてフレームに対する画像のオフセット値、画像サイズが画像データに付加されている（表１参照）。
【００６７】
図５（Ｂ）は今回フレームにおける画像レイアウトの説明図である。
【００６８】
同図に示す例では、今回フレームのフレームサイズ（横方向をＳ´［ｍｍ］、縦方向をＴ´［ｍｍ］）は、前回フレームのフレームサイズと異なり、今回フレームのフレームサイズの縦横比も、前回フレームのフレームサイズの縦横比と異なる（Ｓ´：Ｔ´≠Ｓ：Ｔ）。
【００６９】
このような場合には、前回フレームのフレームサイズの縦方向の大きさに対する今回フレームのフレームサイズの縦方向の大きさの比である縦方向倍率と、前回フレームのフレームサイズの横方向の大きさに対する今回フレームのフレームサイズの横方向の大きさの比である横方向倍率と、を夫々取得し（第２倍率取得手段）、かかる縦方向倍率と横方向倍率に従って、今回フレームへ画像を配置する際の画像オフセット値及び画像サイズを決定する。
【００７０】
このとき、図５に示す例では、画像サイズは縦方向倍率と横方向倍率のうち、小さいほうの倍率を用いて決定することとする。これによれば、画像の縦横比を維持して（画像を歪ませることなく）配置させることができる。また、画像をフレームの外にはみ出すことを防ぐことができる。
【００７１】
図５に示す例の場合、前回フレームのフレームサイズの縦方向の大きさに対する今回フレームのフレームサイズの縦方向の大きさの比である縦方向倍率「ｂ倍」と、前回フレームのフレームサイズの横方向の大きさに対する今回フレームのフレームサイズの横方向の大きさの比である横方向倍率「ａ倍」が取得されている。なお、本実施例では、ａ＜ｂとする。
【００７２】
画像データから抽出した配置情報にかかる画像オフセット値のうち、横方向オフセット値ｘをｂ倍した値を今回フレームに配置する際の画像オフセット値の横方向オフセット値ｘ´とし、縦方向オフセット値ｙをａ倍した値を今回フレームに配置する際の画像オフセット値の縦方向オフセット値ｙ´とし、画像データから抽出した配置情報にかかる画像サイズ（対角線の長さをｚ［ｍｍ］）を縦方向倍率（ｂ倍）と横方向倍率（ａ倍）のうち小さいほうの倍率を用いてａ倍した値を、今回フレームに配置する際の画像サイズ（対角線の長さをｚ´［ｍｍ］）として算出（取得）することができる（表４参照）。
【００７３】
【表４】
2010097305.tif 000006
【００７４】
＜調整方法３＞
続いて、図６は、前回フレームと今回フレームのフレームサイズが異なる場合の画像レイアウトの他の例である。図５は縦横比が異なって変倍された場合に、縦倍率及び横倍率のうち小さい倍率に合わせて画像の大きさを調整したが、図６は、縦倍率及び横倍率に従って画像の縦横の大きさを夫々調整する場合の例である。
【００７５】
図６（Ａ）は前回フレームにおける画像レイアウトの説明図であり、配置情報として、基準点に対するフレームサイズ、画像の配置位置としてフレームに対する画像のオフセット値、画像サイズが画像データに付加されている（表１参照）。
【００７６】
そして、図６（Ｂ）は今回フレームにおける画像レイアウトの説明図である。
【００７７】
同図に示す例では、今回フレームのフレームサイズ（横方向をＳ´［ｍｍ］、縦方向をＴ´［ｍｍ］）は、前回フレームのフレームサイズと異なり、今回フレームのフレームサイズの縦横比も、前回フレームのフレームサイズの縦横比と異なる（Ｓ´：Ｔ´≠Ｓ：Ｔ）。
【００７８】
このような場合には、前回フレームのフレームサイズの縦方向の大きさに対する今回フレームのフレームサイズの縦方向の大きさの比である縦方向倍率と、前回フレームのフレームサイズの横方向の大きさに対する今回フレームのフレームサイズの横方向の大きさの比である横方向倍率と、を夫々取得し（第２倍率取得手段）、当該縦方向倍率と横方向倍率に従って、今回フレームへ画像を配置する際の画像オフセット値及び画像サイズを決定する。
【００７９】
同図に示す例の場合、前回フレームのフレームサイズの縦方向の大きさに対する今回フレームのフレームサイズの縦方向の大きさの比である縦方向倍率「ａ倍」と、前回フレームのフレームサイズの横方向の大きさに対する今回フレームのフレームサイズの横方向の大きさの比である横方向倍率「ｂ倍」が取得されている。
【００８０】
そして、画像データから抽出した配置情報にかかる画像オフセット値のうち、横方向オフセット値ｘをａ倍した値を今回フレームに配置する際の画像オフセット値の横方向オフセット値ｘ´とし、縦方向オフセット値ｙをｂ倍した値を今回フレームに配置する際の画像オフセット値の縦方向オフセット値ｙ´とし、画像データから抽出した配置情報にかかる画像サイズの横方向の大きさＮ［ｍｍ］をａ倍した値を、今回フレームに配置する際の画像サイズの横方向の大きさＭ´とし、縦方向の大きさＮ［ｍｍ］をｂ倍した値を、今回フレームに配置する際の画像サイズの縦方向の大きさＮ´として算出（取得）することができる（表５参照）。
【００８１】
【表５】
2010097305.tif 000007
【００８２】
＜画像レイアウト処理＞
次に、本実施形態に係る組版端末２の処理部２１の画像レイアウト処理について、図７を用いて説明する。
【００８３】
図７は、組版端末２の処理部２１の画像レイアウト処理を示すフローチャートである。なお、かかる画像レイアウト処理の前提として、処理部２１が画像データ取得手段として機能し、ＤＴＰデータの基になる商品に関する情報（画像データ、フレームデータを含む）がネットワーク３を介してデータベースサーバ１から取得されているものとする。また、当該画像レイアウト処理は、組版処理の実行中に開始されるものであり、データベースサーバ１から取得したフレームに、画像レイアウト処理の対象となる画像がオペレータによって選択指定（操作部２の操作による）されることにより実行される。
【００８４】
先ず、画像レイアウト処理の対象として選択された画像にかかる画像データに埋め込まれた配置情報を抽出する（ステップＳ２０：配置情報抽出手段）。
【００８５】
次いで、抽出された配置情報に含まれる前回フレームのフレームサイズと、データベースサーバ１から取得したフレーム（今回フレーム）のフレームサイズとが同一であるか否かを判定する（ステップＳ２１）。
【００８６】
判定の結果、前回フレームと今回フレームのフレームサイズが同一である場合には（ステップＳ２１：Ｙｅｓ）、図３を用いて説明したように、抽出した配置情報に基づいて画像を配置し（ステップＳ２２：情報取得手段、配置手段）、処理を終了する。
【００８７】
判定の結果、前回フレームと今回フレームのフレームサイズが同一でない場合には（ステップＳ２１：Ｎｏ）、前回フレームの縦横比と今回フレームの縦横比が同一であるか否かを判定する（ステップＳ２３：判定手段）。
【００８８】
判定の結果、縦横比が同一である場合には（ステップＳ２３：Ｙｅｓ）、図４を用いて説明したように、前回フレームの大きさに対する今回フレームの大きさの比である倍率を取得し（ステップＳ２４：第１倍率取得手段）、ステップＳ２０にて抽出した配置情報に含まれる画像オフセット値（ｘ、ｙ）及び画像サイズ（ｚ）と、ステップＳ２４にて取得した倍率に基づいて、今回フレームに対する画像オフセット値（ｘ´、ｙ´）及び画像サイズ（ｚ´）を算出する（ステップＳ２５：情報取得手段）。そして、算出した画像オフセット値（ｘ´、ｙ´）及び画像サイズ（ｚ´）に基づいて画像を配置し（ステップＳ２６：配置手段）、処理を終了する。
【００８９】
一方、ステップＳ２３の判定の結果、前回フレームの縦横比と今回フレームの縦横比が同一でない場合には（ステップＳ２３：Ｎｏ）、処理部２１は、指示受付手段として機能し、今回フレームへ配置する際の画像の縦横比を、前回フレームに配置されていた際の画像の縦横比と同一とするか否かについてオペレータからの指示を受け付ける。例えば、表示部２３のディスプレイに、画像の縦横比を維持して配置させるか否かを問い合わせるメッセージを、「画像の縦横比を維持して配置」「フレームに合わせて画像の縦横比も変更して配置」などの選択ボタンと共に表示して、操作部２４の操作によって上記選択ボタンにより画像の縦横比を維持するか否かの選択を受け付けるよう構成すればよい。このような構成により、オペレータは、前回フレームに配置された際の画像の縦横比を変更させることなく（縦横比を維持して）画像を配置させるか、今回フレームにあわせて画像の縦横比も変更させるかを選択（指示）することができる。
【００９０】
その後、処理部２１は、画像の縦横比を維持して今回フレームへ配置する選択（指示）がされたか否か、言い換えれば、画像を配置する際の当該画像の縦横比を、前回配置されていた際の画像の縦横比と同一とする指示がされたか否かを判定する（ステップＳ２７：指示判定手段）。
【００９１】
判定の結果、画像の縦横比を維持して配置させる選択（指示）がされた場合（ステップＳ２７：Ｙｅｓ）には、図５を用いて説明したように、前回フレームのフレームサイズの縦方向の大きさに対する今回フレームのフレームサイズの縦方向の大きさの比である縦方向倍率と、前回フレームのフレームサイズの横方向の大きさに対する今回フレームのフレームサイズの横方向の大きさの比である横方向倍率と、を夫々取得し（第２倍率取得手段）、当該縦方向倍率と横方向倍率に従って、画像オフセット値（ｘ´、ｙ´）を算出する。また、縦方向倍率と横方向倍率のうち小さいほうの倍率に従って、画像サイズ（ｚ´）を算出する（ステップＳ２８：情報取得手段）。そして、算出した画像オフセット値（ｘ´、ｙ´）及び画像サイズ（ｚ´）に基づいて画像を配置し（ステップＳ２９：配置手段）、処理を終了する。
【００９２】
他方、ステップＳ２７の判定の結果、画像の縦横比を維持して配置させる指示がされなかった場合（ステップＳ２７：Ｎｏ）、つまり、今回フレームに合わせて画像の縦横比も変更して配置させることが選択された場合には、図６を用いて説明したように、前回フレームのフレームサイズの縦方向の大きさに対する今回フレームのフレームサイズの縦方向の大きさの比である縦方向倍率と、前回フレームのフレームサイズの横方向の大きさに対する今回フレームのフレームサイズの横方向の大きさの比である横方向倍率と、を夫々取得し（第２倍率取得手段）、当該縦方向倍率と横方向倍率に従って、画像オフセット値（ｘ´、ｙ´）及び画像サイズ（Ｍ´、Ｎ´）を算出する。（ステップＳ３０）。そして、算出した画像オフセット値（ｘ´、ｙ´）及び画像サイズ（Ｍ´、Ｎ´）に基づいて画像を配置し（ステップＳ３１）、処理を終了する。
【００９３】
続いて、画像レイアウト処理に利用した画像データを画像データベース１２に格納する際の処理部２１の処理について図８を用いて説明する。
【００９４】
図８は、組版端末２の処理部２１の画像データ格納処理を示すフローチャートである。なお、かかる画像データ格納処理は、上記図７を用いて説明した画像レイアウト処理にて使用した画像を、データベースサーバ１の画像データベース１２に再び格納する際に、画像データに埋め込まれ（付加され）た配置情報を新たな配置情報に更新する処理であり、上記画像レイアウト処理にて組み込み体裁データベース１３より取得した新たなフレーム（今回フレーム）に配置されている画像（表示部２３のディスプレイに表示）のうち、画像データ格納処理の対象となる画像がオペレータによって選択指定（操作部２の操作による）されることにより実行される。
【００９５】
先ず、選択された画像が配置されているフレームサイズと、当該画像の配置位置（フレームに対するオフセット値）及び当該画像のサイズを、当該画像の新たな配置情報として取得する（ステップＳ４０）。
【００９６】
次いで、取得した新たな配置情報を用いて、画像データに付加された配置情報を更新し（ステップＳ４１：更新手段）、更新後の画像データをデータベースサーバ１の画像データベース１２に格納（記憶）して（ステップＳ４２：記憶手段）、処理を終了する。
【００９７】
以上説明したように、上記実施形態によれば、画像データに前回フレームに配置されていた際の配置情報を埋め込むよう構成したので、画像を新たにフレームに（今回フレームに）配置させる際には、当該画像データから配置情報を抽出し、今回フレームのフレームサイズと、抽出された配置情報に含まれる前回フレームのフレームサイズに基づいて、今回フレームへの当該画像の大きさや配置位置を示す情報を取得するよう構成したので、所望の画像を所望のフレームに自動で配置させることができる。さらには、画像データそのものに配置情報を埋め込んだ（付加した）ので、画像データ単独で種々のＤＴＰ作業に利用することができ、より利便性の高い組版方法を実現することができる。
【００９８】
また、ステップＳ２２にて説明したように、画像データから抽出された配置情報に含まれる前回フレームのフレームサイズが今回フレームのフレームサイズと同一であれば、抽出された配置情報をそのまま今回フレームへの配置位置等を示す情報として利用して、画像を今回フレームに適切に配置させることができる。
【００９９】
さらに、ステップＳ２４〜ステップＳ２６にて説明したように、前回フレームの縦横比と、今回フレームの縦横比が同一であれば、各レイアウト領域の倍率と画像データから抽出した配置情報に基づいて画像を今回フレームに適切に配置させることができる。
【０１００】
また、ステップＳ２８〜ステップＳ３１にて説明したように、前回フレームの縦横比と、今回フレームの縦横比が異なる場合であっても、各フレームの縦方向倍率と横方向倍率、及び画像データから抽出した配置情報に基づいて画像を今回フレームに適切に配置させることができ、特に、この配置の際、画像の縦横比を維持しつつ配置する（ステップＳ２８〜ステップＳ２９）ことも、フレームの縦横方向の倍率に従って画像サイズを決定する（ステップＳ３０〜ステップＳ３１）こともできる。
【０１０１】
更にまた、ステップＳ２７にて説明したように、前回フレームの縦横比と今回フレームの縦横比が異なる場合に、画像の縦横比を維持して配置させるか、今回フレームにあわせて（各フレームの縦方向倍率と横方向倍率に従って）画像サイズを決定するか、をオペレータが指示することができる。
【０１０２】
また、図８を用いて説明したように、画像データに配置情報を付加（更新）して、画像データベース１２に記憶させておくことができる。
【０１０３】
なお、上述した実施形態では、画像が過去に配置されていたフレームを前回フレームとしたが、前回フレームは、最も最近配置されたフレームに限定されるものではない。例えば、最も最近配置されていたフレームにおける配置情報が更新されずに画像データベース１２に記憶された場合には、当該画像データには、更に以前の（前々回などの）フレームにおける配置情報が付加されていることとなる。
【０１０４】
また、配置情報に含まれる配置位置は、画像オフセット値に限定されるものではなく、前回フレームに対する画像の角度等を含んで構成してもよい。この場合には、例えば、画像を当該角度に基づいて今回フレームに配置させるよう構成することができる。
【０１０５】
更に、上述した実施形態では、オペレータが画像サイズの縦横比を維持するか否かのみを選択指示し、その他の判定（ステップＳ２１、ステップＳ２３）は処理部２１の処理に基づいて実行しているが、どのような調整方法を選択するかをオペレータが指示するよう構成してもよい。この場合、例えば、前回フレーム、今回フレーム及び画像を表示部２３のディスプレイに表示して、オペレータは当該表示された各フレームや画像サイズを確認した上で、調整方法１〜３を選択指示する。そして、処理部２１は、オペレータからの指示（操作部２４の操作による）に従って、上記ステップＳ２４〜Ｓ２６、上記ステップＳ２８〜Ｓ２９、或いは上記ステップＳ３０〜Ｓ３１の何れかの処理を行なうよう構成すればよい。
【０１０６】
＜他の実施例＞
上記実施形態では、フレームの形状が長方形（矩形）の場合について述べたが、ここでは、長方形以外のフレームに、画像を配置する場合について説明する。なお、上記実施形態と同様構成とする場合には、その説明を省略する。
【０１０７】
図９（Ａ）はフレームが円形の場合、（Ｂ）はフレームが星型の場合を示す。
【０１０８】
先ず、フレームが内接する長方形（矩形）の補助フレームを定義する。つまり、図９（Ａ）及び（Ｂ）に点線で図示するように、フレームの周囲を囲むような長方形の補助フレームを定義する。そして、この補助フレームの一点を基準点として定義する。図９では、（Ａ）及び（Ｂ）何れも補助フレームの１つの角を基準点としている。フレーム内に配置される画像の配置位置は、補助フレームの基準点からのオフセット値を用いる。
【０１０９】
このように、実際のフレームを囲むよう定義される補助フレームの大きさ（横方向をＳ［ｍｍ］、縦方向をＴ［ｍｍ］）は、そのままフレームの大きさに対応するものである。すなわち、フレームが拡大すれば、補助フレームも拡大し、フレームが縮小すれば、補助フレームも縮小する。従って、補助フレームの大きさ（補助フレームサイズ）は、フレームの大きさ（フレームサイズ）の大きさを示す指標となるマスク領域サイズ指標値の一例である。
【０１１０】
＜調整方法１＞
図１０は、フレームが円形の場合に、前回のフレームと今回のフレームのフレームサイズが異なる場合の画像レイアウトの一例である。
【０１１１】
図１０（Ａ）は前回フレームにおける画像レイアウトの説明図であり、画像データに付加される配置情報は、前回フレームの大きさを示す指標となる旧レイアウトサイズ指標値の一例であって、円形の前回フレームを囲むよう定義した前回補助フレームのフレームサイズ（Ｓ×Ｔ）、前回補助フレームに対する画像のオフセット値（ｘ、ｙ）、画像サイズ（ｚ）等である（表６参照）。
【０１１２】
【表６】
2010097305.tif 000008
【０１１３】
図１０（Ｂ）は、今回フレームにおける画像レイアウトの説明図であり、今回フレームの大きさを示す指標となる今回補助フレーム（新レイアウトサイズ指標値の一例）を、円形の今回フレームを囲んで定義する。
【０１１４】
そして、前回フレームのフレームサイズに対する今回フレームのフレームサイズの比として、前回補助フレームのフレームサイズに対する今回補助フレームのフレームサイズの比（倍率）を取得し（第１倍率取得手段）、取得した比（倍率）と、画像データから抽出した配置情報に含まれる画像オフセット値（ｘ、ｙ）及び画像サイズ（ｚ）に基づいて、今回フレームへ画像を配置する際の画像オフセット値（ｘ´、ｙ´）及び画像サイズ（ｚ´）を決定する。なお、画像オフセット値（ｘ´、ｙ´）は、今回補助フレームの基準点に基づく。
【０１１５】
図１０は、今回補助フレームのフレームサイズの縦横比は、前回補助フレームのフレームサイズの縦横比と同一である（Ｓ´：Ｔ´＝Ｓ：Ｔ）場合の例である。従って、前回補助フレームのフレームサイズに対する今回補助フレームのフレームサイズの比（倍率）が「ａ倍」と取得された場合には、画像データから抽出した配置情報に含まれる画像オフセット値（ｘ、ｙ）及び画像サイズ（ｚ）をａ倍した値を、今回フレームに配置する際の画像オフセット値（ｘ´、ｙ´）及び画像サイズ（ｚ´）として算出（取得）する。なお、上記表３の「フレームサイズ」欄を「補助フレームサイズ」とした場合と同様であるので、ここでの表記載は省略する。
【０１１６】
＜調整方法２＞
続いて、図１１は、フレームが円形の場合に、前回フレームと今回フレームのフレームサイズが異なる場合の画像レイアウトの他の例である。図１０は、補助フレームの縦横比が等しく変倍（Ｓ´：Ｔ´＝Ｓ：Ｔ）された場合の例であったが、図１１は補助フレームの縦横比が異なって変倍（Ｓ´：Ｔ´≠Ｓ：Ｔ）された場合の例である。
【０１１７】
図１１（Ａ）は、前回フレームにおける画像レイアウトの説明図であり、図１０（Ａ）と同様、画像データに付加される配置情報は、前回フレームを囲むよう定義した前回補助フレームのフレームサイズ（Ｓ×Ｔ）、前回補助フレームに対する画像のオフセット値（ｘ、ｙ）、画像サイズ（ｚ）等である（表６参照）。
【０１１８】
図１１（Ｂ）は今回フレームにおける画像レイアウトの説明図であり、今回フレームを囲むよう今回補助フレームを定義する。今回フレームは、前回フレームのフレームサイズと異なり、かつ、フレームサイズの縦横比も異なる。言い換えれば、フレームの大きさの変化に対応するように、補助フレームの大きさも異なり、かつ、補助フレームの縦横比も異なることとなる（Ｓ´：Ｔ´≠Ｓ：Ｔ）。
【０１１９】
そして、前回フレームのフレームサイズ縦方向の大きさに対する今回フレームのフレームサイズの縦方向の大きさの比として、前回補助フレームのフレームサイズの縦方向の大きさに対する今回補助フレームのフレームサイズの縦方向の大きさの比である「縦方向倍率」を取得し、前回フレームのフレームサイズ横方向の大きさに対する今回フレームのフレームサイズの横方向の大きさの比として、前回補助フレームのフレームサイズの横方向の大きさに対する今回補助フレームのフレームサイズの横方向の大きさの比である「横方向倍率」を取得する（第２倍率取得手段）。
【０１２０】
取得した縦方向倍率と横方向倍率に従って、今回フレームへ画像を配置する際の画像オフセット値及び画像サイズを決定する。
【０１２１】
図１１（Ｂ）に示すように、縦方向倍率「ｂ倍」、横方向倍率「ａ倍」であって、かつ、ａ＜ｂである場合には、画像データから抽出した配置情報にかかる画像オフセット値のうち、横方向オフセット値ｘをｂ倍した値を今回フレームに配置する際の画像オフセット値の横方向オフセット値ｘ´とし、縦方向オフセット値ｙをａ倍した値を今回フレームに配置する際の画像オフセット値の縦方向オフセット値ｙ´とし、画像データから抽出した配置情報にかかる画像サイズ（ｚ）をａ倍した値を、今回フレームに配置する際の画像サイズ（ｚ´）として算出（取得）する。なお、上記表４の「フレームサイズ」欄を「補助フレームサイズ」とした場合と同様であるので、ここでの表記載は省略する。
【０１２２】
＜調整方法３＞
続いて、図１２は、フレームが円形の場合に、前回フレームと今回フレームのフレームサイズが異なる場合の画像レイアウトの他の例＜調整方法３＞である。図１１は縦横比が異なって変倍された場合に、縦倍率及び横倍率のうち小さい倍率に合わせて画像の大きさを調整したが、図１２は、縦倍率及び横倍率に従って画像の縦横の大きさを夫々調整する場合の例である。
【０１２３】
図１２（Ａ）は、前回フレームにおける画像レイアウトの説明図であり、図１０（Ａ）と同様、画像データに付加される配置情報は、前回フレームを囲むよう定義した前回補助フレームのフレームサイズ（Ｓ×Ｔ）、前回補助フレームに対する画像のオフセット値（ｘ、ｙ）、画像サイズ（ｚ）等である（表６参照）。
【０１２４】
図１２（Ｂ）は今回フレームにおける画像レイアウトの説明図であり、今回フレームを囲むよう今回補助フレームを定義する。今回フレームは、前回フレームのフレームサイズと異なり、かつ、フレームサイズの縦横比も異なる。言い換えれば、フレームの大きさの変化に対応するように、補助フレームの大きさも異なり、かつ、補助フレームの縦横比も異なることとなる（Ｓ´：Ｔ´≠Ｓ：Ｔ）。
【０１２５】
そして、前回フレームのフレームサイズ縦方向の大きさに対する今回フレームのフレームサイズの縦方向の大きさの比として、前回補助フレームのフレームサイズの縦方向の大きさに対する今回補助フレームのフレームサイズの縦方向の大きさの比である「縦方向倍率」を取得し、前回フレームのフレームサイズ横方向の大きさに対する今回フレームのフレームサイズの横方向の大きさの比として、前回補助フレームのフレームサイズの横方向の大きさに対する今回補助フレームのフレームサイズの横方向の大きさの比である「横方向倍率」を取得する（第２倍率取得手段）。
【０１２６】
取得した縦方向倍率と横方向倍率に従って、今回フレームへ画像を配置する際の画像オフセット値及び画像サイズを決定する。
【０１２７】
図１２（Ｂ）に示すように、縦方向倍率「ｂ倍」、横方向倍率「ａ倍」である場合には、画像データから抽出した配置情報にかかる画像オフセット値のうち、横方向オフセット値ｘをｂ倍した値を今回フレームに配置する際の画像オフセット値の横方向オフセット値ｘ´とし、縦方向オフセット値ｙをａ倍した値を今回フレームに配置する際の画像オフセット値の縦方向オフセット値ｙ´とし、画像データから抽出した配置情報にかかる画像サイズの横方向の大きさＮ［ｍｍ］をａ倍した値を、今回フレームに配置する際の画像サイズの横方向の大きさＭ´とし、縦方向の大きさＮ［ｍｍ］をｂ倍した値を、今回フレームに配置する際の画像サイズの縦方向の大きさＮ´として算出（取得）することができる（表５参照。）。なお、上記表５の「フレームサイズ」欄を「補助フレームサイズ」とした場合と同様であるので、ここでの表記載は省略する。
【０１２８】
なお、ここでは、前回補助フレームと今回補助フレームの大きさが同一である場合（Ｓ´＝Ｓ、Ｔ´＝Ｔ）について説明を省略したが、同一の場合には、画像データに付加された配置情報をそのまま利用すればよい（図３等参照）。
【０１２９】
以上説明したように、フレームの形状が長方形以外のどのような形状であっても、フレームが内接するような（フレームを囲む）補助フレームを定義することにより、かかる補助フレームの大きさを配置情報に含んで画像データに埋め込むよう構成したので、所望の画像を所望のフレームに自動で配置させることができる。  
【０１３０】
また、上述した実施形態及び他の実施例を組み合わせることも可能である。つまり、前回フレームが長方形であって、今回フレームが円形や星型である場合には、前回フレームのフレームサイズと、今回フレームに定義した今回補助フレームのサイズとを用いて、前回フレームのフレームサイズに対する今回補助フレームの比（倍率）を取得し、かかる倍率に基づいて画像の大きさや配置位置を算出すればよい。
【０１３１】
＜応用例＞
続いて、画像の一部を切り取り表示する組版処理を行なう場合について説明する。
【０１３２】
上述した実施形態では、画像データに配置情報を付加して画像データベース１２に登録されるよう構成したが、が、応用例では、画像データにマスク情報を付加するよう構成する。かかるマスク情報には、過去の組版処理におけるマスク領域（前回マスク領域）の大きさを示す指標となる旧マスク領域サイズ指標値とマスク位置、及び当該画像が過去の組版処理において使用された際の大きさが含まれている。そして、処理部２１が、マスク情報抽出手段、切り取り手段として機能し、画像データに含まれるマスク情報を抽出して、かかる画像の一部を表示対象として新たに切り取り指定するためのマスク領域（今回マスク領域）により画像の一部を切り取る際に利用する。
【０１３３】
図１３は、マスクを用いて画像の一部を切り取るマスク処理を示す説明図である。例えば、画像全体のうち、表示したい部分をマスクにより切り取って表示（レイアウト）する。
【０１３４】
図１３（Ａ）は、画像の一部を楕円形状のマスクにより切り取り処理する場合の説明図であり、前回マスク領域の大きさを示す指標であって、楕円形状の前回マスク領域を囲むよう定義した前回補助領域の大きさを示す領域サイズ（Ｓ×Ｔ）（旧マスク領域サイズ指標値の一例）と、画像における前回補助領域の位置（マスク位置）を示すオフセット値（ｘ、ｙ）、画像サイズ（ｚ）等がマスク情報として画像データに付加されている。なお、同図に示すの例の場合、オフセット値（ｘ、ｙ）は、基準点（０，０）マイナスの値となる。
【０１３５】
図１３（Ｂ）は、新たなマスク（今回マスク領域）を用いて画像を切り取る場合の説明図であり、今回マスク領域の大きさを示す指標として、楕円形状の今回マスク領域を囲んで今回補助領域（新マスク領域サイズ指標値の一例）を定義する。
【０１３６】
そして、前回補助領域の領域サイズに対する今回補助領域の領域サイズの比（倍率）を取得し、取得した比（倍率）と、画像データから抽出したマスク情報に含まれるオフセット値（ｘ、ｙ）及び画像サイズ（ｚ）に基づいて、今回マスク領域に基づいて画像を切り取る際のマスク位置を示すオフセット値（ｘ´、ｙ´）及び画像サイズ（ｚ´）を決定する。
【０１３７】
図１３は、今回補助領域の大きさを示す領域サイズ（Ｓ´×Ｔ´）（新マスク領域サイズ指標値の一例）の縦横比は、前回補助領域の領域サイズの縦横比と同一である（Ｓ´：Ｔ´＝Ｓ：Ｔ）場合の例であるため、前回補助領域の領域サイズに対する今回補助領域の領域サイズの比（倍率）が「ａ倍」として取得された場合には、画像データから抽出したマスク情報に含まれるオフセット値（ｘ、ｙ）及び画像サイズ（ｚ）をａ倍した値を、今回マスク領域に基づいて画像を切り取る際のオフセット値（ｘ´、ｙ´）及び画像サイズ（ｚ´）として算出（取得）する。
【０１３８】
このように、マスクを利用して、画像全体のうち、表示したい部分のみを表示させる場合に、画像データにマスク情報を付加しておき、新たなマスクにて画像を切り取り処理する場合に、画像データから抽出したマスク情報に含まれる前回マスク領域（又は前回補助領域）の領域サイズと、今回マスク領域（又は今回補助領域）の領域サイズに基づいて、画像の大きさやマスク位置を示す情報を取得するよう構成したので、画像の表示したい部分を、所望のマスクを用いて自動で切り取り処理することができる。
【０１３９】
さらには、画像データそのものにマスク情報を埋め込んだ（付加した）ので、画像データ単独で種々のＤＴＰ作業に利用することができ、より利便性の高い組版方法を実現することができる。
【０１４０】
なお、応用例では、今回補助領域の領域サイズと前回補助領域の領域サイズが異なる場合に、今回補助領域の領域サイズの縦横比は、前回補助領域の領域サイズの縦横比と同一である（Ｓ´：Ｔ´＝Ｓ：Ｔ）場合の例について説明したが、今回補助領域の領域サイズと前回補助領域の領域サイズが同一である場合や、今回補助領域の領域サイズの縦横比と、前回補助領域の領域サイズの縦横比が異なる（Ｓ´：Ｔ´≠Ｓ：Ｔ）場合にも本発明を適用することができる。
【０１４１】
例えば、今回補助領域の領域サイズと前回補助領域の領域サイズが同一である場合（Ｓ´＝Ｓ、Ｔ´＝Ｔ）には、画像データから抽出したマスク情報をそのまま適用すればよい。
【０１４２】
また、今回補助領域の領域サイズの縦横比と、前回補助領域の領域サイズの縦横比が異なる（Ｓ´：Ｔ´≠Ｓ：Ｔ）場合には、上記他の実施例において、図１１、図１２等を用いて詳細に説明した調整方法２及び調整方法３の手順に従えばよく、具体的には、他の実施例における「補助フレームサイズ」を領域サイズとして定義すればよい。
【０１４３】
また、今回マスク領域が円形、前回マスク領域が星型であっても、各マスク領域を囲むような今回補助領域及び前回補助領域を定義することにより、本発明を適用することができる。
【０１４４】
更にまた、今回マスク領域と前回マスク領域のうち、一方が長方形である場合であっても本発明を適用することができる。すなわち、前回マスク領域が円形であって、今回マスク領域が長方形である場合には、前回マスク領域を囲む前回補助領域を定義し、かかる前回補助領域の領域サイズに対する今回マスク領域の領域サイズ（新マスク領域サイズ指標値の一例）の比（倍率）を取得し、かかる倍率に基づいて画像の大きさや配置位置を算出すればよい。
【図面の簡単な説明】
【０１４５】
【図１】本実施形態に係るＤＴＰ編集システムＳの概要構成の一例を示す図である。
【図２】組版端末の概要構成の一例を示す図である。
【図３】前回フレームと今回フレームのフレームサイズが同一である場合の画像レイアウトの一例である。
【図４】前回フレームと今回フレームのフレームサイズが異なる場合の画像レイアウトの一例である（調整方法１）。
【図５】前回フレームと今回フレームのフレームサイズが異なる場合の画像レイアウトの他の例である（調整方法２）。
【図６】前回フレームと今回フレームのフレームサイズが異なる場合の画像レイアウトの他の例である（調整方法３）。
【図７】組版端末２の処理部２１の画像レイアウト処理を示すフローチャートである。
【図８】組版端末２の処理部２１の画像データ格納処理を示すフローチャートである。
【図９】長方形以外のフレームにかかる補助フレームの説明図である。
【図１０】フレームが円形の場合に、前回フレームと今回フレームのフレームサイズが異なる場合の画像レイアウトの一例である（調整方法１）。
【図１１】フレームが円形の場合に、前回フレームと今回フレームのフレームサイズが異なる場合の画像レイアウトの他の例である（調整方法２）。
【図１２】フレームが円形の場合に、前回フレームと今回フレームのフレームサイズが異なる場合の画像レイアウトの他の例である（調整方法３）。
【図１３】マスクを用いて画像の一部を切り取るマスク処理を示す説明図である。
【符号の説明】
【０１４６】
１    データベースサーバ
２    組版端末
３    ネットワーク
１１  テキストデータベース
１２  画像データベース
１３  組み込み体裁データベース
２１  処理部
２２  記憶部
２３  表示部
２４  操作部
２５  通信部
Ｓ    ＤＴＰ編集システム
【図１】
2010097305.tif 000009
【図２】
2010097305.tif 000010
【図３】
2010097305.tif 000011
【図４】
2010097305.tif 000012
【図５】
2010097305.tif 000013
【図６】
2010097305.tif 000014
【図７】
2010097305.tif 000015
【図８】
2010097305.tif 000016
【図９】
2010097305.tif 000017
【図１０】
2010097305.tif 000018
【図１１】
2010097305.tif 000019
【図１２】
2010097305.tif 000020
【図１３】
2010097305.tif 000021